(57)【要約】【課題】挟持機能と切断機能を兼備する手術用ピンセットを提供する。【解決手段】ピンセット１，４の上端に刃部材５を取り付けた。ピンセットの上端に柱状の刃取付台座４２，６を設け、その刃取付台座に刃部材を嵌め込んで交換可能に取り付けた。既存のピンセットの上端に刃取付台座を固定し、その刃取付台座に刃部材を交換可能に取り付けた。【効果】ピンセットの先端に挟持機能があるほか、上端に刃部材による糸等の切断が可能である。よって、医者が縫合手術の時、ピンセットを１８０度を回転して操作すると、刃部材で切断できる。切断用の鋏が不要で、看護師の手伝いも不要。縫合時間、麻酔時間の短縮、麻酔剤の減量が可能。【選択図】      図１
2006075583.tif 000002
【特許請求の範囲】
【請求項１】
上端に刃部材を取り付けたことを特徴とする手術用ピンセット。
【請求項２】
上端に刃取付台座を形成し、その刃取付台座に刃部材を交換可能に取り付けたことを特徴とする手術用ピンセット。
【請求項３】
既存のピンセットの上端に刃取付台座を嵌合固定し、その刃取付台座に刃部材を交換可能に取り付けたことを特徴とする手術用ピンセット。
【請求項４】
刃取付台座に刃部材を嵌め込んで交換可能に取り付けたことを特徴とする請求項２又は３に記載の手術用ピンセット。
【請求項５】
刃部材は、二つの突出する弧形エッジと、そのエッジの間に形成された開口溝を有し、その開口溝の底部に刃部が形成されていることを特徴とする請求項１，２又は３に記載の手術用ピンセット。
【発明の詳細な説明】
【技術分野】
【０００１】
本発明は、手術用ピンセット、特に医療の縫合手術の際に使用するものに関する。
【背景技術】
【０００２】
縫合手術を行う時は、医者が傷口周辺の皮膚を摘まみ、糸（ワイヤ）で縫合するためにピンセットを用いる。
【０００３】
図５は、医者が縫合手術のときに従来からよく使った医療器具を示す。主に、片手でピンセット１を持って、傷口１１の周辺の皮膚を摘まんだ後で、もう一つの手で鉗子２を操作してその鉗子２の先端で針２１を挟み、その針２１に縫合糸２２を繋ぐ。そして、医者は一針ずつに順次傷口を縫合する。
【特許文献１】特になし
【発明の開示】
【発明が解決しようとする課題】
【０００４】
しかし、医者が患者の縫合手術を行う時は、一針毎に糸に結び目を作って鋏３で縫合糸２２を切断した後、第二針、第三針・・・と、順次縫合しなければならない。この縫合プロセスで非常に面倒なことは、一針に縫合した後に医者がほかの手で鋏３を取換えて縫合糸２２を切断しないと、次の針の縫合が行えないことである。または、そばの看護師が手伝って、鋏を持って縫合糸２２を切断する必要がある。残念ながら、医者又は看護師を問わず、別に鋏を持って縫合糸２２を切断することは面倒であり、人手が多くかかり、人件費がかかるので、不経済である。
【０００５】
本発明は、上記の点に鑑みてなされたものであり、解決しようとする課題は、握っているピンセットのみで挟持と切断の両方ができるようにすることにある。すなわち、挟持機能と切断機能を兼備する手術用ピンセットを提供することにある。
【課題を解決するための手段】
【０００６】
上記課題を解決するため、本発明による手術用ピンセットは、上端に刃部材を取り付けたことを特徴としている（請求項１）。
【０００７】
好ましい実施の態様の手術用ピンセットは、上端に刃取付台座を形成し、その刃取付台座に刃部材を交換可能に取り付けたことを特徴としている（請求項２）。
【０００８】
既存のピンセットの上端に刃取付台座を嵌合固定し、その刃取付台座に刃部材を交換可能に取り付けても、同様の効果を得ることができる（請求項３）。
【０００９】
刃部材は、刃取付台座に嵌め込んで交換可能に取り付けられてもよい（請求項４）。
【００１０】
上記刃部材は、二つの突出する弧形エッジと、そのエッジの間に形成された開口溝を有し、その開口溝の底部に刃部が形成されていることが望ましい（請求項５）。
【発明の効果】
【００１１】
請求項１の発明によれば、ピンセットは先端による挟持機能を有するほか、上端の刃部材による切断機能を有する。従って、医者は縫合手術の切断操作の時は、把持しているピンセットを単に１８０度を回転して操作すると、縫合糸などを切断できるので、別に切断用鋏が不要であり、ほかの看護師の手伝いも要らない。よって、次のような派生的効果が得られる。
（ア）縫合時間、麻酔時間を短縮し、麻酔剤の用量を減らすことができる。
（イ）人手のニーズを減らすことができる。
（ウ）手術器材の使用数、取換え頻度を低減することができる。
【００１２】
請求項２又は３の発明によれば、ピンセットの上端に一体に設けられた刃取付台座に、又は刃取付台座のない既存のピンセットの上端に嵌合して固定された刃取付台座に、刃部材が交換可能に取り付けられるので、必要な時に刃部材を交換できる。
【００１３】
請求項４の発明によれば、刃取付台座に嵌め込み式に交換可能に取り付けられているので、刃部材の交換が容易にできる。
【００１４】
請求項５の発明によれば、刃部材は二つの突出する弧形エッジの間に開口溝が形成され、その開口溝の底部エッジに刃部が設けられているから、結び目を作ったあとの縫合糸の一端を少し引き、ピンセットを前方にプッシュすると、その縫合糸は容易に開口溝の底部エッジの刃部に入り、切断される。刃部材は弧状エッジの間の開口溝の底部に配置するので、切断する際に誤って患者を傷害することがない。従って、このピンセットは、次の利点を有する。
（ア）切断に便利である。
（イ）人の皮膚等を傷害しない。
（ウ）皮下（subcutaneous）縫合にも適用することができる。
【発明を実施するための最良の形態】
【００１５】
次に、本発明の実施の形態について図面に基づいて説明する。
図１は本発明の第１実施例を示す斜視図、図２は第２実施例を示す斜視図、図３は本発明の第３実施例を示す斜視図、図４は本発明によるピンセットの使用例を示す斜視図である。
【００１６】
図１に示すように、第１実施例においては、ピンセット４の上部４１に柱状の刃取付台座４２が設けられる。刃取付台座４２には軸方向に延びる溝４２１が形成されて、これに刃部材５をはめ込んで固定することができるようになっている。刃部材５は、二つの突出する弧形エッジ５１、５２と、その間に形成された開口５３を有し、その開口５３の底部に刃５３１が設けられている。
【００１７】
そして、ピンセット４を前方にプッシュする方式で、結び目を作ったあとの縫合糸２２を開口５３内の刃５３１に向けて誘導し、プッシュ・プルの瞬間に、縫合糸２２を切断することができる。
【００１８】
ピンセット４の上部４１に突出すように設けられた柱状の刃取付台座４２に嵌めこまれる刃部材は、その形状が特に限定されるものではない。例えば、図２に示すように、一般の手術用メスであっても良い。
【００１９】
また、刃取付台座は、ピンセットに一体に設けられたものである必要はなく、図３に示すように、一般に広く使用される医者用ピンセット１に着脱自在に取り付けられるものであっても良い。すなわち、この実施例は、柱状の刃取付台座６の下部にソケット６０を設け、そのソケット６０を既存のピンセット１の上部１３に嵌合し、そのソケットに取り付けたねじ１４を手で締め付けて固定することができるようになっている。
【００２０】
図１又は図３に示された手術用ピンセットは、その先端で縫合糸を挟持して直線状に引っ張った後、図４に示すように、刃部材５を前方にプッシュして、縫合糸を簡単にかつ安全に切断することができる。
【図面の簡単な説明】
【００２１】
【図１】本発明の第１実施例を示す斜視図。
【図２】第２実施例を示す斜視図。
【図３】本発明の第３実施例を示す斜視図。
【図４】本発明によるピンセットの使用例を示す斜視図。
【図５】縫合手術のときに従来からよく使っている医療器具を示す図。
【符号の説明】
【００２２】
１，４      ピンセット
２２        縫合糸
４２，６    刃取付台座
５，５０    刃部材
５１，５２  弧エッジ
５３        開口
５３１      刃
６０        ソケット
１４        ねじ
【図１】
2006075583.tif 000003
【図２】
2006075583.tif 000004
【図３】
2006075583.tif 000005
【図４】
2006075583.tif 000006
【図５】
2006075583.tif 000007